(57)【要約】【課題】複数のアンテナが備えられた携帯端末において、曜日や時間帯で概ね決まっているユーザの行動パターンに対応した最適なアンテナの選択を行う。【解決手段】アンテナの受信レベルを測定する無線部１４と、曜日，時刻情報を生成する時計部１５と、曜日，時間帯毎の通信成功回数がアンテナ別に登録された記憶部１６と、通信開始時に各アンテナの受信レベルを無線部１４に測定させて取得し、少なくとも二つ以上のアンテナの受信レベルが閾値以上であった場合に時計部１５から現在の曜日，時刻情報を取得し、閾値以上のアンテナの中から現在の曜日，時刻対応の通信成功回数が最も多いアンテナを記憶部１６から取得して通信に使用する制御部１７とを有する。【選択図】      図１
2009049756.tif 000002
【特許請求の範囲】
【請求項１】
複数のアンテナを備えた携帯端末であって、
アンテナの受信レベルを測定する無線部と、曜日，時刻情報を生成する時計部と、曜日，時間帯毎の通信成功回数がアンテナ別に登録された記憶部と、通信開始時に各アンテナの受信レベルを前記無線部に測定させて取得し、少なくとも二つ以上のアンテナの受信レベルが閾値以上であった場合に前記時計部から現在の曜日，時刻情報を取得し、閾値以上のアンテナの中から現在の曜日，時刻対応の通信成功回数が最も多いアンテナを前記記憶部から取得して通信に使用する制御部とを有することを特徴とする携帯端末。
【請求項２】
複数のアンテナを備えた携帯端末であって、
アンテナの受信レベルを測定する無線部と、曜日，時刻情報を生成する時計部と、通信種別，曜日，時間帯毎の通信成功回数がアンテナ別に登録された記憶部と、通信開始時に通信種別を判別するとともに各アンテナの受信レベルを前記無線部に測定させて取得し、少なくとも二つ以上のアンテナの受信レベルが閾値以上であった場合に前記時計部から現在の曜日，時刻情報を取得し、閾値以上のアンテナの中から通信種別，現在の曜日，時刻対応の通信成功回数が最も多いアンテナを前記記憶部から取得して通信に使用する制御部とを有することを特徴とする携帯端末。
【請求項３】
複数のアンテナを備えた携帯端末であって、
アンテナの受信レベルを測定する無線部と、曜日，時刻情報を生成する時計部と、使用者，曜日，時間帯毎の通信成功回数がアンテナ別に登録された記憶部と、通信開始時に携帯端末の使用者を判別するとともに各アンテナの受信レベルを前記無線部に測定させて取得し、少なくとも二つ以上のアンテナの受信レベルが閾値以上であった場合に前記時計部から現在の曜日，時刻情報を取得し、閾値以上のアンテナの中から使用者，現在の曜日，時刻対応の通信成功回数が最も多いアンテナを前記記憶部から取得して通信に使用する制御部とを有することを特徴とする携帯端末。
【請求項４】
複数のアンテナを備えた携帯端末であって、
アンテナの受信レベルを測定する無線部と、曜日，時刻情報を生成する時計部と、使用者，通信種別，曜日，時間帯毎の通信成功回数がアンテナ別に登録された記憶部と、通信開始時に携帯端末の使用者および通信種別を判別するとともに各アンテナの受信レベルを前記無線部に測定させて取得し、少なくとも二つ以上のアンテナの受信レベルが閾値以上であった場合に前記時計部から現在の曜日，時刻情報を取得し、閾値以上のアンテナの中から使用者，通信種別，現在の曜日，時刻対応の通信成功回数が最も多いアンテナを前記記憶部から取得して通信に使用する制御部とを有することを特徴とする携帯端末。
【請求項５】
受信レベルが閾値以上のアンテナが一つであった場合は、前記制御部は前記一つのアンテナを通信に使用することを特徴とする請求項１，２，３または４記載の携帯端末。
【請求項６】
少なくとも二つ以上のアンテナの受信レベルが閾値以上であった場合において、閾値以上の全てのアンテナの通信成功回数が所定回数に達していなかった場合は、前記制御部は閾値以上のアンテナの中で受信レベルが最も大きいアンテナを通信に使用することを特徴とする請求項１〜５のいずれか１項記載の携帯端末。
【請求項７】
前記制御部は、通信に使用するアンテナを取得後、通信が成功したことを確認したときに前記記憶部に登録されたアンテナ別の通信成功回数を更新することを特徴とする請求項１〜６のいずれか１項記載の携帯端末。
【請求項８】
複数のアンテナを備えた携帯端末におけるアンテナ選択制御方法であって、
曜日，時間帯毎の通信成功回数をアンテナ別に記憶部に登録するステップと、通信開始時に各アンテナの受信レベルを測定するステップと、少なくとも二つ以上のアンテナの受信レベルが閾値以上であった場合に現在の曜日，時刻情報を取得するステップと、閾値以上のアンテナの中から現在の曜日，時刻対応の通信成功回数が最も多いアンテナを前記記憶部から取得して通信に使用するステップとを有することを特徴とする携帯端末におけるアンテナ選択制御方法。
【請求項９】
複数のアンテナを備えた携帯端末におけるアンテナ選択制御方法であって、
通信種別，曜日，時間帯毎の通信成功回数をアンテナ別に記憶部に登録するステップと、通信開始時に通信種別を判別するとともに各アンテナの受信レベルを測定するステップと、少なくとも二つ以上のアンテナの受信レベルが閾値以上であった場合に現在の曜日，時刻情報を取得するステップと、閾値以上のアンテナの中から通信種別，現在の曜日，時刻対応の通信成功回数が最も多いアンテナを前記記憶部から取得して通信に使用するステップとを有することを特徴とする携帯端末におけるアンテナ選択制御方法。
【請求項１０】
複数のアンテナを備えた携帯端末におけるアンテナ選択制御方法であって、
使用者，曜日，時間帯毎の通信成功回数をアンテナ別に記憶部に登録するステップと、通信開始時に携帯端末の使用者を判別するとともに各アンテナの受信レベルを測定するステップと、少なくとも二つ以上のアンテナの受信レベルが閾値以上であった場合に現在の曜日，時刻情報を取得するステップと、閾値以上のアンテナの中から使用者，現在の曜日，時刻対応の通信成功回数が最も多いアンテナを前記記憶部から取得して通信に使用するステップとを有することを特徴とする携帯端末におけるアンテナ選択制御方法。
【請求項１１】
複数のアンテナを備えた携帯端末におけるアンテナ選択制御方法であって、
使用者，通信種別，曜日，時間帯毎の通信成功回数をアンテナ別に記憶部に登録するステップと、通信開始時に携帯端末の使用者および通信種別を判別するとともに各アンテナの受信レベルを測定するステップと、少なくとも二つ以上のアンテナの受信レベルが閾値以上であった場合に現在の曜日，時刻情報を取得するステップと、閾値以上のアンテナの中から使用者，通信種別，現在の曜日，時刻対応の通信成功回数が最も多いアンテナを前記記憶部から取得して通信に使用するステップとを有することを特徴とする携帯端末におけるアンテナ選択制御方法。
【発明の詳細な説明】
【技術分野】
【０００１】
本発明は、複数のアンテナを備えた携帯端末において、通信時に使用するアンテナを選択制御する携帯端末および携帯端末におけるアンテナ選択制御方法に関する。
【背景技術】
【０００２】
複数のアンテナを備えた携帯端末におけるアンテナ選択制御に関する関連技術は、例えば、特開２００５−３２８３９０号公報（特許文献１）に開示されている。この特許文献１においては、
・過去の基地局との通信における通信成功時に、使用したアンテナと、通信状態（発信，着信，通信中）と、基地局のセル識別情報とを対応付けて通信端末の記憶部に登録しておき、
・通信端末の電源がＯＮされた後、セル識別情報を初めて取得したか、収容されている基地局が変わったかのいずれかの場合で、かつ、通信端末の通信状態が変化したときに、基地局，通信状態をキーとして、アンテナ毎に記憶部に登録されている個数を算出し、
・最も個数の多いアンテナを特定し、特定したアンテナが現在選択しているアンテナでなかった場合に、特定したアンテナに切り替える制御を行う、
ことが記載されている。
【０００３】
【特許文献１】特開２００５−３２８３９０号公報（段落「００６１」〜「００７２」、図３）
【発明の開示】
【発明が解決しようとする課題】
【０００４】
上述した特許文献１においては、基地局および通信状態毎に最も通信品質がよいと推定されるアンテナに切り替える制御を行っている。このため、基地局のセル識別情報の管理や通信状態の変化の監視を行うことが必要である。これら基地局のセル識別情報の管理や通信状態の変化の監視等を行うことなく、最も通信品質がよいと推定されるアンテナへの切替制御を行えることが望まれる。例えば、ユーザの行動パターン（会社での勤務中、自宅での就寝中等）は曜日や時間帯で概ね決まっているため、曜日や時間帯が同じであるアンテナ毎の過去の通信結果（成功回数）を基にすれば、同じような環境における最適なアンテナの選択が可能となる。しかしながら、特許文献１においては、こうしたユーザの行動パターンをベースにした制御については、何ら触れられていない。
【０００５】
本発明の目的は、以上の課題を解決する携帯端末および携帯端末におけるアンテナ選択制御方法を提供することにある。
【課題を解決するための手段】
【０００６】
本発明の携帯端末は、複数のアンテナを備えた携帯端末であって、アンテナの受信レベルを測定する無線部と、曜日，時刻情報を生成する時計部と、曜日，時間帯毎の通信成功回数がアンテナ別に登録された記憶部と、通信開始時に各アンテナの受信レベルを前記無線部に測定させて取得し、少なくとも二つ以上のアンテナの受信レベルが閾値以上であった場合に前記時計部から現在の曜日，時刻情報を取得し、閾値以上のアンテナの中から現在の曜日，時刻対応の通信成功回数が最も多いアンテナを前記記憶部から取得して通信に使用する制御部とを有する。
【０００７】
本発明の携帯端末におけるアンテナ選択制御方法は、複数のアンテナを備えた携帯端末におけるアンテナ選択制御方法であって、曜日，時間帯毎の通信成功回数をアンテナ別に記憶部に登録するステップと、通信開始時に各アンテナの受信レベルを測定するステップと、少なくとも二つ以上のアンテナの受信レベルが閾値以上であった場合に現在の曜日，時刻情報を取得するステップと、閾値以上のアンテナの中から現在の曜日，時刻対応の通信成功回数が最も多いアンテナを前記記憶部から取得して通信に使用するステップとを有する。
【発明の効果】
【０００８】
本発明によれば、複数のアンテナが備えられた携帯端末において、曜日や時間帯で概ね決まっているユーザの行動パターンに対応した最適なアンテナの選択が可能になるという効果が得られる。
【発明を実施するための最良の形態】
【０００９】
本発明の実施の形態について図面を参照して詳細に説明する。
【００１０】
図１は、本発明の第１の実施の形態の構成を示す図であり、本発明の携帯端末１０は、第１のアンテナ１１と、第２のアンテナ１２と、アンテナ切替部１３と、無線部１４と、時計部１５と、記憶部１６と、制御部１７とを備えている。なお、本発明の携帯端末１０は、携帯電話機，ＰＨＳ(Personal Handyphone System)，ＰＤＡ(Personal Digital Assistance)等の携帯情報端末である。アンテナ切替部１３は、例えば、切替スイッチであり
、制御部１７の指示を受けて第１のアンテナ１１，第２のアンテナ１２のいずれかを無線部１４に接続する。無線部１４は、図示しない基地局との間で第１のアンテナ１１または第２のアンテナ１２を介して無線信号の送受信を行う通信装置であり、接続されている第１のアンテナ１１または第２のアンテナ１２の受信レベル（受信電界強度）を測定する機能を備えている。時計部１５は、カレンダー情報や時刻情報を生成，出力する機能を備えている。記憶部１６は読み出し，書き込み可能な記憶装置であり、アンテナ使用履歴データベース１６１を含んでいる。このアンテナ使用履歴データベース１６１には、図２（アンテナ使用履歴データベース１６１に格納されるデータの一例を示す図）に示すように、各アンテナ（第１のアンテナ１１，第２のアンテナ１２）対応の過去の通信成功回数が曜日，時間帯別に登録されている。
【００１１】
制御部１７は、ＣＰＵ(Central Processing Unit)等の制御装置であり、プログラムに
より動作を制御される。この制御部１７は、
・通信開始要求受信時に第１のアンテナ１１および第２のアンテナ１２の受信レベルの測定を指示する機能と、
・各アンテナの受信レベルが予め定めた閾値以上かを照合する機能と、
・いずれか一方のアンテナだけが閾値以上の受信レベルであった場合は、そのアンテナを無線部１４に接続して通信を開始する機能と、
・両方のアンテナが閾値以上の受信レベルであった場合はアンテナ使用履歴データベース１６１を参照して、現在の曜日，時間帯対応のアンテナ毎の通信成功回数を取得し、通信成功回数が多い方のアンテナを無線部１４に接続して通信を開始する機能と、
を備えている。
【００１２】
次に、本発明の第１の実施の形態の動作について図１〜図３を参照して説明する。図３は、本発明の第１の実施の形態の動作を示すフローチャートである。
【００１３】
図３を参照すると、まず、制御部１７は音声通信（通話）やデータ通信等の通信の開始要求を検出する。この通信開始要求の検出は、例えば、図示しない操作部を介したユーザの操作（特定キー押下等）を検出してもよいし、図示しない基地局との間で授受される信号から無線部１４によって通信に必要なパラメータが検出されたことを以て判定するようにしてもよい（ステップＡ１）。そして、通信開始要求を検出した制御部１７は、第１のアンテナ１１を無線部１４に接続するようアンテナ切替部１３に指示し、アンテナ切替部１３は第１のアンテナ１１を無線部１４に接続する。その後、制御部１７は無線部１４に対して受信レベルの測定を指示し、無線部１４は第１のアンテナ１１の受信レベルを測定して制御部１７に通知する。制御部１７は、第１のアンテナ１１の受信レベルが予め定めた通信可能な閾値以上かを照合する（ステップＡ２）。
【００１４】
ステップＡ２において、第１のアンテナ１１の受信レベルが閾値未満であった場合は、制御部１７は、第２のアンテナ１２を無線部１４に接続するようアンテナ切替部１３に指示し、アンテナ切替部１３は第２のアンテナ１２を無線部１４に接続する。その後、制御部１７は無線部１４に対して受信レベルの測定を指示し、無線部１４は第２のアンテナ１２の受信レベルを測定して制御部１７に通知する。制御部１７は、第２のアンテナ１２の受信レベルが予め定めた通信可能な閾値以上かを照合する（ステップＡ３）。ステップＡ３において、第２のアンテナ１２の受信レベルが閾値未満であった場合は通信できないため、制御部１７は処理を終了する（ステップＡ４）。ステップＡ３において、第２のアンテナ１２の受信レベルが閾値以上であった場合は、制御部１７は第２のアンテナ１２が無線部１４に接続された状態で通信を開始する（ステップＡ５）。
【００１５】
ステップＡ２において、第１のアンテナ１１の受信レベルが閾値以上であった場合は、制御部１７は、第２のアンテナ１２を無線部１４に接続するようアンテナ切替部１３に指示し、アンテナ切替部１３は第２のアンテナ１２を無線部１４に接続する。その後、制御部１７は無線部１４に対して受信レベルの測定を指示し、無線部１４は第２のアンテナ１２の受信レベルを測定して制御部１７に通知する。制御部１７は、第２のアンテナ１２の受信レベルが予め定めた通信可能な閾値以上かを照合する（ステップＡ６）。ステップＡ６において、第２のアンテナ１２の受信レベルが閾値未満であった場合は、制御部１７は第１のアンテナ１１を無線部１４に接続するようアンテナ切替部１３に指示し、第１のアンテナ１１が無線部１４に接続されると通信を開始する（ステップＡ７）。
【００１６】
ステップＡ６において、第２のアンテナ１２の受信レベルが閾値以上であった場合は、制御部１７は時計部１５から現在の曜日，時刻を取得する（ステップＡ８）。次に、制御部１７はアンテナ使用履歴データベース１６１を参照し、現在の曜日，時刻対応のアンテナ（第１のアンテナ１１および第２のアンテナ１２）の通信成功回数を取得する（図２参照）。そして、制御部１７は、第１のアンテナ１１，第２のアンテナ１２の少なくともいずれかの通信成功回数が所定のＮ回（例えば、５回）以上であるかを照合する（ステップＡ９）。ステップＡ９において、通信成功回数が両方のアンテナともそれぞれＮ回未満であった場合は、制御部１７は受信レベルが大きい方のアンテナを無線部１４に接続するようアンテナ切替部１３に指示する。アンテナ切替部１３が受信レベルの大きい方のアンテナを無線部１４に接続すると、制御部１７は通信を開始する（ステップＡ１０）。ステップＡ９において、通信成功回数が少なくともいずれかのアンテナにおいてＮ回以上であった場合は、制御部１７は、第１のアンテナ１１，第２のアンテナ１２の何れの通信成功回数が多いかを照合する（ステップＡ１１）。そして、制御部１７は、通信成功回数が多い方のアンテナを無線部１４に接続するようアンテナ切替部１３に指示し、通信成功回数が多い方のアンテナが無線部１４に接続されると通信を開始する（ステップＡ１２，Ａ１３）。なお、ステップＡ９において、少なくともいずれかのアンテナの通信成功回数が所定のＮ回以上かを照合しているのは、本発明が過去の同じ曜日，同じ時間帯における通信成功回数の多い方のアンテナを選択するものであることに起因している。アンテナ使用履歴データベース１６１には、携帯端末１０における通信の度にアンテナ毎の通信成功回数が曜日，時間帯に対応付けられて登録され、通信成功回数データが蓄積されていく。従って、ある曜日，時間帯における最初の通信においては未だ通信成功回数は登録されていないため、アンテナの選択は通信成功確率が高いと推定される受信レベルの大きい方のアンテナを選択するようにしている。そして、いずれかのアンテナの通信成功回数が信頼性の高い所定数（Ｎ回、例えば、５回）まで蓄積されると、その後は、通信成功回数の多い方のアンテナを選択するようにしている。
【００１７】
ステップＡ５，Ａ７，Ａ１０，Ａ１２，Ａ１３に続き、制御部１７は通信が成功したことを確認すると、アンテナ使用履歴データベース１６１において、今回選択したアンテナの現在の曜日，時間帯対応の通信成功回数に１を加算して更新する。なお、通信が成功したことの確認は、図示しない基地局から応答信号を受信することにより行われる。例えば、発信時には、携帯端末１０から基地局に送信した接続要求に応じて基地局から応答信号を受信することにより行われ、着信時には、基地局からの接続要求に応じて携帯端末１０が送信する応答信号に対して基地局から応答信号を受信したことにより行われる（ステップＡ１４）。
【００１８】
以上説明したように、本実施の形態においては、通信時に過去の同じ曜日，同じ時間帯における通信成功回数の最も多いアンテナを選択して使用するようにしている。ユーザの行動パターン（会社での勤務中、自宅での就寝中等）は曜日や時間帯で概ね決まっているため、本実施の形態によれば、ユーザの行動パターンに対応した最適なアンテナの選択が可能になるという効果が得られる。
【００１９】
次に、本発明の第２の実施の形態について説明する。
【００２０】
上述した第１の実施の形態においては、通信時に過去の同じ曜日，同じ時間帯における通信成功回数の最も多いアンテナを選択して使用するとして説明したが、通信種別（音声通信やデータ通信等）については触れられていない。従って、通信が音声通信（通話）であってもデータ通信であっても関係なくアンテナ選択を行っている。通常、音声通信（通話）やデータ通信等、その時の通信種別により使用者は携帯端末１０の持ち方を変えるものである。そして、携帯端末１０の持ち方によってアンテナ特性が変動してしまい、同じ人が同じアンテナを使用していても受信レベルや通信品質パターンが大きく変わってしまうことになる。本実施の形態は、以上の点を鑑みて通信種別に応じてアンテナ選択を行うようにした点が第１の実施の形態に比べて異なっている。
【００２１】
図４は、本発明の第２の実施の形態の構成を示す図であり、図１（第１の実施の形態の構成）に比べ、記憶部１６のアンテナ使用履歴データベース１６１が通信種別対応アンテナ使用履歴データベース１６２に置き換わった点が異なっている。通信種別対応アンテナ使用履歴データベース１６２には、図５（通信種別対応アンテナ使用履歴データベース１６２に格納されるデータの一例を示す図）に示すように、各アンテナ対応の過去の通信成功回数が、通信種別と曜日，時間帯との組みあわせ別に登録されている。
【００２２】
次に、本発明の第２の実施の形態の動作について図４〜図６を参照して説明する。図６は、本発明の第２の実施の形態の動作を示すフローチャートである。
【００２３】
図６を参照すると、まず、制御部１７は音声通信（通話）やデータ通信等の通信の開始要求を検出する。この通信種別対応の通信開始要求の検出は、図示しない操作部を介したユーザの操作（特定キー押下等）を検出してもよいし、図示しない基地局との授受信号から無線部１４によって通信種別対応にそれぞれ必要なパラメータが検出されたことを以て判定するようにしてもよい（ステップＢ１）。検出した通信種別が音声通信（通話）であった場合、制御部１７は第１のアンテナ１１を無線部１４に接続するようアンテナ切替部１３に指示し、アンテナ切替部１３は第１のアンテナ１１を無線部１４に接続する。その後、制御部１７は無線部１４に対して受信レベルの測定を指示し、無線部１４は第１のアンテナ１１の受信レベルを測定して制御部１７に通知する。制御部１７は、第１のアンテナ１１の受信レベルが予め定めた通信可能な閾値以上かを照合する（ステップＢ２→ステップＢ３）。
【００２４】
ステップＢ３において、第１のアンテナ１１の受信レベルが閾値未満であった場合は、制御部１７は、第２のアンテナ１２を無線部１４に接続するようアンテナ切替部１３に指示し、アンテナ切替部１３は第２のアンテナ１２を無線部１４に接続する。その後、制御部１７は無線部１４に対して受信レベルの測定を指示し、無線部１４は第２のアンテナ１２の受信レベルを測定して制御部１７に通知する。制御部１７は、第２のアンテナ１２の受信レベルが予め定めた通信可能な閾値以上かを照合する（ステップＢ４）。ステップＢ４において、第２のアンテナ１２の受信レベルが閾値未満であった場合は通信できないため、制御部１７は処理を終了する（ステップＢ５）。ステップＢ４において、第２のアンテナ１２の受信レベルが閾値以上であった場合は、制御部１７は第２のアンテナ１２が無線部１４に接続された状態で通信を開始する（ステップＢ６）。
【００２５】
ステップＢ３において、第１のアンテナ１１の受信レベルが閾値以上であった場合は、制御部１７は、第２のアンテナ１２を無線部１４に接続するようアンテナ切替部１３に指示し、アンテナ切替部１３は第２のアンテナ１２を無線部１４に接続する。その後、制御部１７は無線部１４に対して受信レベルの測定を指示し、無線部１４は第２のアンテナ１２の受信レベルを測定して制御部１７に通知する。制御部１７は、第２のアンテナ１２の受信レベルが予め定めた通信可能な閾値以上かを照合する（ステップＢ７）。ステップＢ７において、第２のアンテナ１２の受信レベルが閾値未満であった場合は、制御部１７は第１のアンテナ１１を無線部１４に接続するようアンテナ切替部１３に指示し、第１のアンテナ１１が無線部１４に接続されると通信を開始する（ステップＢ８）。
【００２６】
ステップＢ７において、第２のアンテナ１２の受信レベルが閾値以上であった場合は、制御部１７は時計部１５から現在の曜日，時刻を取得する（ステップＢ９）。次に、制御部１７は通信種別対応アンテナ使用履歴データベース１６２を参照し、通信種別が音声通信で、現在の曜日，時刻対応のアンテナ（第１のアンテナ１１および第２のアンテナ１２）の通信成功回数を取得する（図５参照）。そして、制御部１７は、第１のアンテナ１１，第２のアンテナ１２の少なくともいずれかの通信成功回数が所定のＮ回（例えば、５回）以上であるかを照合する（ステップＢ１０）。ステップＢ１０において、通信成功回数が両方のアンテナともそれぞれＮ回未満であった場合は、制御部１７は受信レベルが大きい方のアンテナを無線部１４に接続するようアンテナ切替部１３に指示する。アンテナ切替部１３が受信レベルの大きい方のアンテナを無線部１４に接続すると、制御部１７は通信を開始する（ステップＢ１１）。ステップＢ１０において、通信成功回数が少なくともいずれかのアンテナにおいてＮ回以上であった場合は、制御部１７は、第１のアンテナ１１，第２のアンテナ１２の何れの通信成功回数が多いかを照合する（ステップＢ１２）。そして、制御部１７は、通信成功回数が多い方のアンテナを無線部１４に接続するようアンテナ切替部１３に指示し、通信成功回数が多い方のアンテナが無線部１４に接続されると通信を開始する（ステップＢ１３，Ｂ１４）。
【００２７】
ステップＢ６，Ｂ８，Ｂ１１，Ｂ１３，Ｂ１４に続き、制御部１７は通信が成功したことを確認すると、通信種別対応アンテナ使用履歴データベース１６２において、今回選択したアンテナの通信種別，現在の曜日，時間帯対応の通信成功回数に１を加算して更新する（ステップＢ１５）。
【００２８】
一方、ステップＢ１において検出した通信種別がデータ通信であった場合、制御部１７は第１のアンテナ１１を無線部１４に接続するようアンテナ切替部１３に指示し、アンテナ切替部１３は第１のアンテナ１１を無線部１４に接続する。その後、制御部１７は無線部１４に対して受信レベルの測定を指示し、無線部１４は第１のアンテナ１１の受信レベルを測定して制御部１７に通知する。制御部１７は、第１のアンテナ１１の受信レベルが予め定めた通信可能な閾値以上かを照合する（ステップＢ２→ステップＢ１６）。
【００２９】
この後のステップＢ１７〜ステップＢ２８については、ステップＢ１０において、
・制御部１７は通信種別対応アンテナ使用履歴データベース１６２を参照し、通信種別が音声通信で、現在の曜日，時刻対応のアンテナ（第１のアンテナ１１および第２のアンテナ１２）の通信成功回数を取得する（図５参照）。
とあるを、
・制御部１７は通信種別対応アンテナ使用履歴データベース１６２を参照し、通信種別がデータ通信で、現在の曜日，時刻対応のアンテナ（第１のアンテナ１１および第２のアンテナ１２）の通信成功回数を取得する（図５参照）。
に置き換える点を除き、上述したステップＢ４〜ステップＢ１５と同じであるため、説明を省略する。
【００３０】
以上説明したように、本実施の形態においては、通信時に過去の同じ曜日，同じ時間帯における通信成功回数の最も多いアンテナを選択して使用する第１の実施の形態に比べ、さらに通信種別（音声通信，データ通信）に応じてアンテナ選択を行うようにしている。音声通信とデータ通信では携帯端末１０の持ち方等が異なるため、通信種別，曜日，時間帯の組合せに応じた通信成功回数を基にアンテナ選択を行うことにより、第１の実施の形態に比べ、よりきめ細かなアンテナ選択が可能になるという効果がさらに得られる。
【００３１】
次に、本発明の第３の実施の形態について説明する。
【００３２】
上述した第２の実施の形態においては、通信種別，曜日，時間帯の組合せに応じた通信成功回数を基にアンテナ選択を行うとして説明したが、本実施の形態においては、第２の実施の形態の通信種別を携帯端末１０の使用者に置き換えた点が異なっている。アンテナは人体が近づいたり、手で覆われたりすると特性が大きく変動してしまうという特徴がある。図７（携帯端末１０の持ち方の例を示す図）に示すように、使用者Ａの持ち方の場合は、第１のアンテナ１１は手で覆われてしまうために特性が変動して悪くなる。しかし、第２のアンテナ１２は手から離れているため特性の変動が少なく良い状態となる。この場合は第２のアンテナ１２の方を選択した方が良い通話品質が確保できる。一方、使用者Ｂの持ち方の場合は、第１のアンテナ１１は手から離れているため特性の変動が少なく良い状態となる。しかし、第２のアンテナ１２は手で覆われてしまうために特性が変動して悪くなる。この場合は第１のアンテナ１１の方を選択した方が良い通話品質が確保できる。このように、携帯端末１０の持ち方によって最適なアンテナは変わってしまう。そして、携帯端末１０の持ち方は各使用者により異なるため、使用者に応じてアンテナ特性変動が生じることになる。本実施の形態は、携帯端末１０を複数の使用者が使用する場合を考慮し、使用者，曜日，時間帯の組みあわせに応じた通信成功回数を基にアンテナ選択を行うようにした点を特徴としている。
【００３３】
図８は、本発明の第３の実施の形態の構成を示す図であり、図４（第２の実施の形態の構成）に比べ、
・記憶部１６の通信種別対応アンテナ使用履歴データベース１６２を、使用者対応アンテナ使用履歴データベース１６３に置き換えた点と、
・ＵＳＩＭ(Universal Subscriber Identity Module)２０を新たに備えた点と、
が異なっている。
使用者対応アンテナ使用履歴データベース１６３には、図９（使用者対応アンテナ使用履歴データベース１６３に格納されるデータの一例を示す図）に示すように、各アンテナ対応の過去の通信成功回数が、使用者と曜日，時間帯との組みあわせ別に登録されている。
ＵＳＩＭ２０は、携帯端末１０に着脱可能なＩＣカード等の利用者情報記録媒体であり、電話番号，加入者ＩＤや契約している携帯電話事業者の情報等が格納されている。
【００３４】
次に、本発明の第３の実施の形態の動作について図８〜図１０を参照して説明する。図１０は、本発明の第３の実施の形態の動作を示すフローチャートである。
【００３５】
図１０を参照すると、まず、制御部１７は音声通信（通話）やデータ通信等の通信の開始要求を検出する。この通信開始要求の検出は、図示しない操作部を介したユーザの操作（特定キー押下等）を検出してもよいし、図示しない基地局との授受信号から無線部１４によって通信に必要なパラメータが検出されたことを以て判定するようにしてもよい（ステップＣ１）。ステップＣ１で通信開始要求を検出した制御部１７は、携帯端末１０の使用者を判別する。この使用者の判別は、携帯端末１０に装着されているＵＳＩＭ２０から利用者情報を取得することにより行われる（ステップＣ２）。
【００３６】
ステップＣ２において、使用者がＡさんであった場合は、制御部１７は第１のアンテナ１１を無線部１４に接続するようアンテナ切替部１３に指示し、アンテナ切替部１３は第１のアンテナ１１を無線部１４に接続する。その後、制御部１７は無線部１４に対して受信レベルの測定を指示し、無線部１４は第１のアンテナ１１の受信レベルを測定して制御部１７に通知する。制御部１７は、第１のアンテナ１１の受信レベルが予め定めた通信可能な閾値以上かを照合する（ステップＣ３）。
【００３７】
ステップＣ３において、第１のアンテナ１１の受信レベルが閾値未満であった場合は、制御部１７は、第２のアンテナ１２を無線部１４に接続するようアンテナ切替部１３に指示し、アンテナ切替部１３は第２のアンテナ１２を無線部１４に接続する。その後、制御部１７は無線部１４に対して受信レベルの測定を指示し、無線部１４は第２のアンテナ１２の受信レベルを測定して制御部１７に通知する。制御部１７は、第２のアンテナ１２の受信レベルが予め定めた通信可能な閾値以上かを照合する（ステップＣ４）。ステップＣ４において、第２のアンテナ１２の受信レベルが閾値未満であった場合は通信できないため、制御部１７は処理を終了する（ステップＣ５）。ステップＣ４において、第２のアンテナ１２の受信レベルが閾値以上であった場合は、制御部１７は第２のアンテナ１２が無線部１４に接続された状態で通信を開始する（ステップＣ６）。
【００３８】
ステップＣ３において、第１のアンテナ１１の受信レベルが閾値以上であった場合は、制御部１７は、第２のアンテナ１２を無線部１４に接続するようアンテナ切替部１３に指示し、アンテナ切替部１３は第２のアンテナ１２を無線部１４に接続する。その後、制御部１７は無線部１４に対して受信レベルの測定を指示し、無線部１４は第２のアンテナ１２の受信レベルを測定して制御部１７に通知する。制御部１７は、第２のアンテナ１２の受信レベルが予め定めた通信可能な閾値以上かを照合する（ステップＣ７）。ステップＣ７において、第２のアンテナ１２の受信レベルが閾値未満であった場合は、制御部１７は第１のアンテナ１１を無線部１４に接続するようアンテナ切替部１３に指示し、第１のアンテナ１１が無線部１４に接続されると通信を開始する（ステップＣ８）。
【００３９】
ステップＣ７において、第２のアンテナ１２の受信レベルが閾値以上であった場合は、制御部１７は時計部１５から現在の曜日，時刻を取得する（ステップＣ９）。次に、制御部１７は使用者対応アンテナ使用履歴データベース１６３を参照し、使用者がＡさんで、現在の曜日，時刻対応のアンテナ（第１のアンテナ１１および第２のアンテナ１２）の通信成功回数を取得する（図９参照）。そして、制御部１７は、第１のアンテナ１１，第２のアンテナ１２の少なくともいずれかの通信成功回数が所定のＮ回（例えば、５回）以上であるかを照合する（ステップＣ１０）。ステップＣ１０において、通信成功回数が両方のアンテナともそれぞれＮ回未満であった場合は、制御部１７は受信レベルが大きい方のアンテナを無線部１４に接続するようアンテナ切替部１３に指示する。アンテナ切替部１３が受信レベルの大きい方のアンテナを無線部１４に接続すると、制御部１７は通信を開始する（ステップＣ１１）。ステップＣ１０において、通信成功回数が少なくともいずれかのアンテナにおいてＮ回以上であった場合は、制御部１７は、第１のアンテナ１１，第２のアンテナ１２の何れの通信成功回数が多いかを照合する（ステップＣ１２）。そして、制御部１７は、通信成功回数が多い方のアンテナを無線部１４に接続するようアンテナ切替部１３に指示し、通信成功回数が多い方のアンテナが無線部１４に接続されると通信を開始する（ステップＣ１３，Ｃ１４）。
【００４０】
ステップＣ６，Ｃ８，Ｃ１１，Ｃ１３，Ｃ１４に続き、制御部１７は通信が成功したことを確認すると、使用者対応アンテナ使用履歴データベース１６３において、今回選択したアンテナの使用者，現在の曜日，時間帯対応の通信成功回数に１を加算して更新する（ステップＣ１５）。
【００４１】
一方、ステップＣ２において、使用者がＢさんであった場合は、ステップＣ１６〜ステップＣ２８の動作を実行することになるが、これらの動作は上述したステップＣ３〜ステップＣ１５の動作と同じであるため、説明を省略する。
【００４２】
以上説明したように、本実施の形態においては、携帯端末１０の使用者に応じてアンテナ選択を行うようにしている。携帯端末１０の持ち方は使用者により異なるため、使用者，曜日，時間帯の組合せに応じた通信成功回数を基にアンテナ選択を行うことにより、使用者に応じた最適なアンテナ選択が可能になるという効果が得られる。
【００４３】
次に、本発明の応用例，変形例等について説明する。
【００４４】
・上述した第１〜第３の実施の形態においては、アンテナの数を二つとして説明したが、三つ以上としてもよい。この場合は、少なくとも二つ以上のアンテナの受信レベルが閾値以上であった場合に、それらの中から最も通信成功回数の多いアンテナを選択することになる。
【００４５】
・上述した第２の実施の形態においては、通信種別，曜日，時間帯の組合せに応じたアンテナ選択を、また、第３の実施の形態においては、使用者，曜日，時間帯の組合せに応じたアンテナ選択を行うとして説明したが、これらを組みあわせてもよい。すなわち、使用者，通信種別，曜日，時間帯の組合せに応じたアンテナ選択を行うようにしてもよい。
【図面の簡単な説明】
【００４６】
【図１】本発明の第１の実施の形態の構成を示す図である。
【図２】アンテナ使用履歴データベース１６１に格納されるデータの一例を示す図である。
【図３】本発明の第１の実施の形態の動作を示すフローチャートである。
【図４】本発明の第２の実施の形態の構成を示す図である。
【図５】通信種別対応アンテナ使用履歴データベース１６２に格納されるデータの一例を示す図である。
【図６】本発明の第２の実施の形態の動作を示すフローチャートである。
【図７】携帯端末１０の持ち方の例を示す図である。
【図８】本発明の第３の実施の形態の構成を示す図である。
【図９】使用者対応アンテナ使用履歴データベース１６３に格納されるデータの一例を示す図である。
【図１０】本発明の第３の実施の形態の動作を示すフローチャートである。
【符号の説明】
【００４７】
１０    携帯端末
１１    第１のアンテナ
１２    第２のアンテナ
１３    アンテナ切替部
１４    無線部
１５    時計部
１６    記憶部
１７    制御部
１６１    アンテナ使用履歴データベース
１６２    通信種別対応アンテナ使用履歴データベース
１６３    使用者対応アンテナ使用履歴データベース
２０    ＵＳＩＭ
【図１】
2009049756.tif 000003
【図２】
2009049756.tif 000004
【図３】
2009049756.tif 000005
【図４】
2009049756.tif 000006
【図５】
2009049756.tif 000007
【図６】
2009049756.tif 000008
【図７】
2009049756.tif 000009
【図８】
2009049756.tif 000010
【図９】
2009049756.tif 000011
【図１０】
2009049756.tif 000012